(57)【要約】【課題】  従来は建造物を緑化する場所に生苔を新鮮な状態で植栽できない点を改善するために、この考案では、生苔を真空パック詰にして休眠状態、かつ冷却状態にすることにより、生苔を新鮮な状態で建造物を緑化する場所に供給するこができる。【解決手段】  苔畑から採集した生苔２をトレー５内に収納した状態で、パック袋６内に収納して、パック袋６内を減圧処理して真空パック詰にすることにより生苔２を休眠状態にし，この真空パック詰にした生苔２を段ボール７内に収納して梱包する。段ボール７で梱包した生苔２を冷却設備を備えた運搬車内に搬入して，冷却設備で生苔２を冷却することにより、生苔２は休眠状態で冷却され，その鮮度を保持した状態で建造物を緑化する場所に移送することができる。【選択図】  図６
0003107264.tif 000002
【実用新案登録請求の範囲】
【請求項１】
苔畑より採集した所定形状かつ所定面積を有し、根を備える生苔と、
上記生苔を収納するトレーと、
上記生苔を上記トレーに収納した状態で包装して減圧処理を施して上記トレーとともに上記生苔を真空パック詰状態にするパック袋と、
冷却設備を有する運搬車に搬入して上記真空パック詰状態にされた上記生苔を新鮮かつ安定した休眠状態にして移送可能にするために箱詰にして梱包する段ボールと、
を備えることを特徴とする生苔鮮度保持装置。
【請求項２】
上記生苔は、上記苔畑から採集したときに上記苔畑の土壌を生苔の根に付着されていることを特徴とする請求項１に記載の生苔鮮度保持装置。
【請求項３】
上記トレーは、内部に仕切壁を設けて、複数の生苔を収納することを特徴とする請求項１に記載の生苔鮮度保持装置。
【考案の詳細な説明】
【技術分野】
【０００１】  この考案は、建造物に緑化用の苔を育成する場合において、予め苔畑より採集した生苔を新鮮かつ休眠状態で植生場所に配送できるようにした生苔鮮度保持装置に関する。
【背景技術】
【０００２】  夏場の大都市では、郊外に比較して気温が数℃、例えば、４℃〜６℃もの高い温度差が生じ、所謂ヒートアイランド現象が生じる。
このヒートアイランド現象を防止するための一環として、建造物の占める面積に対して一定の割合で緑化を義務付ける条令が施行されている地域もある。【０００３】  この建造物の緑化対策として、建造物に植物を植生することになる。建造物において、緑化が可能な部位は、屋上か壁面に限られることになる。
そこで、屋上も壁面にも植生することにすると、樹木では、壁面での植樹に植栽枡などの複雑な機構を必要とし、コストアップとなる。
したがって、屋上と壁面の両方に有効な植物となると、芝生や苔などがクローズアップされてくる。【０００４】  このうち、苔の植栽に好適な緑化用苔の植物坦持体に関して、例えば、特開２００３−２５０３３５号公報には、基板の表面が苔植物の付着可能な凹凸を有し、この表面と、上下２枚の水溶性のシートとの間に苔植物配偶体を配置して、苔植物配偶体が上下２枚の水溶性のシートとの間に基板から脱落するのを防止し、水溶性シートが降雨などにより溶出し、消滅することにより苔植物が露出して、外観が緑地として見えるとともに、苔植物に太陽光が強く入射することになり、その結果、苔植物の育成と光合成の効率向上を促進する旨が開示されている。
【考案の開示】
【考案が解決しようとする課題】
【０００５】  このような苔植物配偶体では、苔の脱落を防止して水溶性シートで苔を坦持させ、水溶性シートが雨などにより溶解して、苔を露出させて苔の育成を行う点では、非常に有効な手段であるが、苔畑から採集した生苔は比較的鮮度が落ち易く、生苔を建造物の所定の場所に植栽するまでに時間がかかると、生苔が枯れてしまうおそれがある。あるいは、生苔が枯れなくても、鮮度が落ちることにより、育成が悪くなるおそれがる。【０００６】  この考案は、上記従来の課題を解決するためになされたもので、苔畑から採集した生苔を真空パック詰にするとともに、建造物の植栽場所に配送するまで、冷却設備を備えた運搬車で冷却して新鮮かつ休眠状態を保持させて、建造物の植栽場所に新鮮な状態で植栽でき、苔の育成を良好にすることができる生苔鮮度保持装置を提供することを目的とする。
【課題を解決するための手段】
【０００７】  この考案の生苔鮮度保持装置は、苔畑より採集所定形状かつ所定面積を有し，根を備える生苔と、上記生苔を収納するトレーと、上記生苔を上記トレーに収納した状態で包装して減圧処理を施して上記トレーとともに上記生苔を真空パック詰状態にするパック袋と、冷却設備を有する運搬車に搬入して上記真空パック詰状態にされた上記生苔を新鮮かつ安定した休眠状態にして移送可能にするために箱詰にして梱包する段ボールと、を備えることを特徴とすることにより、前記課題を解決している。
【考案の効果】
【０００８】  上述のように、この考案の生苔鮮度保持装置は、苔畑から採集した所定形状かつ所定面積を有する生苔をトレーに収納した状態でパック袋にパック詰して減圧処理を施すこにより真空パック詰状態にした後に、段ボールに箱詰にして、冷却設備を備えた運搬車に詰み込んで、建造物の緑化を施す場所に配送するようにしたので、生苔は真空状態でしかも冷却された休眠状態にあるので、鮮度を新鮮なまま保持して、緑化を施す場所には配送することができ、したがって生苔の植栽後における順調な育成可能となり、育成の効率向上が可能となる。
【考案を実施するための最良の形態】
【０００９】  苔畑から採集した所定形状かつ所定面積を有する生苔をトレーに収納した状態でパック袋にパック詰して減圧処理を施すこにより真空パック詰状態にすることにより、生苔を休眠状態にする。
次いで、この真空パック詰状態にした生苔を段ボールに箱詰にして、冷却設備を備えた運搬車に詰み込んで、建造物の緑化を施す場所に配送する。運搬車で配送中は生苔を冷却しているので、生苔の鮮度が保持されたままとなる。この鮮度を保持した生苔を建造物の緑化を施す場所に配送する。
したがって、生苔の植栽後の育成が順調になり、育成の効率、ひいては、緑化事業の効率を上げることができる。
【実施例】
【００１０】  以下、この考案の生苔鮮度保持装置の一実施例について図面に基づき説明する。図１はこの考案の生苔鮮度保持装置に適用される生苔を採取する苔畑を示す平面図である。
この図１において、苔畑１の所定箇所から所定の大きさと所定形状、例えば３００ミリメートル×３００ミリメートルの面積を有する正方形、あるいは３００ミリメートル×６００ミリメートルの面積を有する長方形の生苔２を図２に示すように採集する。【００１１】  この図２は、図１で示した苔畑１から長方形状に切り取って採集された生苔２を示す斜示図である。この図２から明らかなように、生苔２は根３を有するとともに、根３の下部には、苔畑１の土壌４が付着している。土壌４は生苔２の育成に好適な特殊な土壌が使用されている。土壌４は場合によっては、苔畑１から切り取った生苔２の根３に付着させなくても良い。
図１はこの生苔２を切り取ったことにより生苔２の根３と土壌４が露出している状態を示している。【００１２】  次に、この生苔２を図３（斜視図）に示すトレー５に収納する。トレー５の底面には，図示されていないが、マットが敷かれている
この図３に示すトレー５は平面形状が図２に示す生苔２の形状に合わせて長方形の皿状に形成され、周縁部に立ち上がり壁５ａを有している。
この図３で示すトレー５は生苔２を一つ収納する場合を示しているが、必要に応じて複数の生苔２を収納するようにしてもよい。【００１３】  図４はトレー５内に一つの生苔２を収納した状態を示す斜視図である。このトレー５のマット上に、土壌４を接触させた状態、あるいは土壌４を根４に付着させていない場合には、マット上に根４が接触するようにして、生苔２をトレー５内に収納する。
この図４からも明らかなように、生苔２の表面がトレー５の立ち上がり壁５ａの上面とほぼ面一になっている。
なお、複数の生苔２をトレー５内に収納する場合には、トレー５内に複数の仕切壁（例えば、「十字形」）の仕切壁を設けることにより、４つの生苔を収納させることが可能となる。【００１４】  次に、図５に示すように、トレー５に収納した生苔２をこのトレー５とともにパック袋６内に収納した状態でパック袋６内の空気を抜き取る減圧処理を施すとともに、このパック袋６の周縁を溶着させて溶着部６ａを形成することにより、パック袋６内を真空パック詰状態にする。これにより、パック袋６内に収納されている生苔２が休眠状態となる。【００１５】  次に、このパック袋６内に生苔２を収納させた状態で図６に示すように、パック袋６の左右の両端部を両手８，９で把持しながら段ボール７内に収納させ、段ボール７の上蓋を粘着テープ（図示せず）で封着することにより，生苔２を段ボール７で梱包する。
次に、段ボール７を図示しない冷却設備を備えた運搬車に搬入して、運搬車内で段ボール７を冷却する。
これにより、段ボール７内に収納された生苔２がパック袋６を介して冷却される。すなわち，生苔２はパック袋６により真空により休眠状態になるとともに、冷却設備による冷却により鮮度保持することになる。【００１６】  このようにして、緑化を施す建造物まで生苔２を運搬車で移送すれば、運搬車内で生苔２は休眠状態で、かつ鮮度を保持した状態で運搬されることになる。その結果、生苔の植栽後の育成が順調になり、育成の効率、ひいては、緑化事業の効率を上げることができる。
【図面の簡単な説明】
【００１７】
【図１】  この考案による生苔鮮度保持装置に適用される生苔を栽培する苔畑を示す平面図である。
【図２】  図１で示すの苔畑から採取された生苔を示す斜視図である。
【図３】  この考案による生苔鮮度保持装置に適用されるトレーを示す斜視図である。
【図４】  図３で示すトレーに図２で示す生苔を収納した状態を示す斜視図である。
【図５】  図４で示したトレーに収納された生苔をトレーとともにパック袋内に真空パック詰された状態を示す斜視図である。
【図６】  図５で示す真空パック詰された生苔を段ボール内に収納する状態を示す斜視図である。
【符号の説明】
【００１８】  １  苔畑
２  生苔
３  根
４  土壌
５  トレー
５ａ  立ち上がり壁
６  パック袋
７  段ボール
８，９  手
【図１】
0003107264.tif 000003
【図２】
0003107264.tif 000004
【図３】
0003107264.tif 000005
【図４】
0003107264.tif 000006
【図５】
0003107264.tif 000007
【図６】
0003107264.tif 000008